(57)【要約】【課題】広告効果を定量的に把握できる広告情報配信システムを提供する。【解決手段】広告識別情報および広告領域情報とを含ませた広告情報を作成する広告情報作成手段２１、広告情報をユーザへ向けて配信するサーバ側送受信手段２３を有する広告情報配信サーバ２００と、広告情報を取得する広告情報取得手段１１、ユーザに関する位置情報を取得する位置情報取得手段１２、ユーザに関する位置情報と広告領域情報との位置関係を判断する判断手段１３、この判断結果に応じて広告識別情報を広告情報配信サーバ２００に向けて送出するユーザ側送受信手段１４を有する広告情報提示装置１００とを備える。【選択図】  図２
2005025461.tif 000002
【特許請求の範囲】
【請求項１】
広告対象に関する広告情報をユーザに配信する広告情報配信サーバと、前記広告情報を取得し、取得した広告情報をユーザに提示する広告情報提示装置とを有する広告情報配信システムであって、
前記広告情報配信サーバは、
前記広告情報を識別するための広告識別情報と、前記広告情報ごとに予め定められた広告領域情報とを含ませた前記広告情報をユーザへ向けて配信するサーバ側送受信手段を有し、
前記広告情報提示装置は、
前記広告情報配信サーバから配信された広告情報を取得する広告情報取得手段と、
前記ユーザに関する位置情報を取得する位置情報取得手段と、
前記位置情報取得手段により取得された前記ユーザに関する位置情報と前記広告領域情報との位置関係を判断する判断手段と、
前記判断手段の判断結果に応じて、前記広告情報の広告識別情報を前記広告情報配信サーバに向けて送出するユーザ側送受信手段とを有する、
広告情報配信システム。
【請求項２】
前記位置情報取得手段は、前記ユーザが停止した位置を取得し、
前記判断手段は、当該ユーザの停止位置が前記広告領域情報に含まれるか否かを判断し、
前記ユーザ側送受信手段は、前記判断手段により前記ユーザの停止位置が前記広告領域情報に含まれると判断された場合、当該広告情報の広告識別情報を前記広告情報配信サーバに向けて送出する請求項１記載の広告情報配信システム。
【請求項３】
前記サーバ側送受信手段は、前記広告対象の広告を実施する領域に応じた第１エリアと、前記広告対象の所在位置に応じた第２エリアとを含む前記広告領域情報を有する広告情報を前記ユーザへ向けて配信する請求項１または２記載の広告情報配信システム。
【請求項４】
前記位置情報取得手段は、前記ユーザの停止位置を含む位置情報を取得し、
前記判断手段は、当該ユーザの停止位置が前記広告領域情報の第２エリアに含まれるか否かを判断し、
前記ユーザ側送受信手段は、前記判断手段により前記ユーザの停止位置が前記第２エリアに含まれると判断された場合、当該広告情報の広告識別情報を前記広告情報配信サーバに向けて送出する請求項３記載の広告情報配信システム。
【請求項５】
前記広告情報配信サーバは、広告情報の配信に対して課金処理を行う課金手段を有し、
前記課金手段は、前記ユーザ側送受信手段から取得した前記広告情報の広告識別情報の受信回数に応じて、課金を行う請求項２〜４のいずれかに記載の広告情報配信システム。
【請求項６】
前記広告情報提示装置は、前記取得した広告情報の広告内容を前記ユーザに提示する提示手段を有し、
前記位置情報取得手段は、前記ユーザの現在位置を含む位置情報を取得し、
前記判断手段は、当該ユーザの現在位置が前記広告領域情報の第１エリアに含まれるか否かを判断し、
前記提示手段は、前記判断手段により前記ユーザの現在位置が前記第１エリアに含まれると判断された場合、前記広告情報の広告画像を前記ユーザに表示する請求項３記載の広告情報配信システム。
【請求項７】
前記広告情報提示装置は、前記取得した広告情報の広告内容を前記ユーザに提示する提示手段を有し、
前記位置情報取得手段は、前記ユーザの現在位置を含む位置情報を取得し、
前記判断手段は、当該ユーザの現在位置が前記広告領域情報の第１エリアに含まれるか否かを判断し、
前記提示手段は、前記判断手段により前記ユーザの現在位置が前記第１エリアに含まれると判断された場合、前記広告情報の広告音声を前記ユーザに読み上げる請求項３記載の広告情報配信システム。
【請求項８】
前記第２エリアは、前記第１エリアよりも狭い領域である請求項３〜７のいずれかに記載の広告情報配信システム。
【請求項９】
前記ユーザ側送受信手段は、前記ユーザが搭乗する車両のアクセサリスイッチの入力信号を取得するＡＣＣ信号取得部と、
予め定めたタイミングにおいて前記ＡＣＣ信号取得部がアクセサリスイッチの入力信号を取得した場合、前記当該広告情報の広告識別情報を前記広告情報配信サーバに向けて送出させる送信タイミング制御部とを有する請求項２〜５のいずれかに記載の広告情報配信システム。
【請求項１０】
前記広告情報取得手段は、前記取得した広告情報から、前記広告情報配信サーバに向けて送出した広告識別情報に対応する広告情報を削除する請求項２〜５のいずれかに記載の広告情報配信システム。
【請求項１１】
広告対象に関する広告情報を外部から取得し、取得した広告情報をユーザに提示する広告情報提示装置であって、
前記広告情報を識別するための広告識別情報と、前記広告対象の所在位置に応じた広告領域情報とを含ませた前記広告情報を取得する広告情報取得手段と、
前記ユーザの停止位置を含む位置情報を取得する位置取得手段と、
前記位置情報取得手段により取得された前記ユーザの停止位置が前記広告領域情報に含まれるか否かを判断する判断手段と、
前記判断手段により前記ユーザの停止位置が前記広告情報の広告領域情報に含まれると判断された場合、前記広告情報の広告識別情報を前記広告情報配信サーバに向けて送出するユーザ側送受信手段とを有する広告情報提示装置。
【発明の詳細な説明】
【０００１】
【技術分野】
本発明は、ユーザに対して広告を配信する広告情報配信システムに関し、特に、実際の宣伝効果を把握することができる広告情報配信システムに関する。
【０００２】
【背景技術】
基地局から無線で送信された広告情報のうち、自車両の走行地域に応じた広告情報を車両に搭載された広告表示装置に表示するという技術がある（特許文献１参照）。この技術によれば、走行地域に適した広告を行うことができる。
【０００３】
しかしながら、従来の技術では、広告情報が広告事業者から一方的にユーザへ提供されるため、広告による効果を把握することができないという問題があった。
【０００４】
【特許文献１】
特開２００２−６３４８２号公報
【０００５】
【発明の開示】
本発明は、広告の宣伝効果を定量的に把握することを目的とする。
この発明によれば、広告対象に関する広告情報をユーザに配信する広告情報配信サーバと、配信された広告情報を取得し、取得した広告情報をユーザに提示する広告情報提示装置とを有する広告情報配信システムであって、広告情報配信サーバは、広告情報を識別するための広告識別情報と、前記広告情報ごとに予め定められた広告領域情報とを含ませた広告情報をユーザへ向けて配信し、広告情報提示装置は、広告情報配信サーバから配信された広告情報を取得するとともに、ユーザに関する位置情報を取得し、取得したユーザに関する位置情報と広告領域情報との位置関係を判断して、この判断結果に応じて広告情報の広告識別情報を広告情報配信サーバに向けて送出する広告情報配信システムを提供することができる。
これにより、広告情報の広告領域情報とユーザの位置との位置関係に応じて、その広告情報の識別情報を広告事業者側に通知することで、広告の宣伝効果を定量的に把握することができる。
【０００６】
【発明を実施するための最良の形態】
以下、本発明の実施形態を図面に基づいて説明する。
【０００７】
まず、図１に基づいて広告情報配信システム１の概要を説明する。図１に示すように、広告情報配信システム１は、広告事業者側の広告情報配信サーバ２００とユーザ側の広告情報提示装置１００とを備えている。広告情報配信システム１は、広告依頼主からの依頼に基づいて、広告対象に関する広告情報をユーザへ向けて配信する。ユーザ側の広告情報提示装置１００は、広告情報配信サーバ２００から配信された広告情報を取得し、取得した広告情報をユーザに提示する。
【０００８】
広告情報配信サーバ２００は、放送局、インターネット等の中継局を介して広告情報を配信する配信装置２０１と、広告情報を記憶する広告情報データベース２０２と、広告情報を配信する領域や広告対象の位置などを記憶した配信データベース２０３と、広告情報の広告対象に実際に行ったユーザ数などの広告効果の統計的データを記憶する広告効果統計データベース２０４とを有している。
【０００９】
広告情報提示装置１００は、広告情報を受信し、各種情報を広告情報配信サーバ２００側に送信する送受信装置１０１と、広告情報をユーザに提示するディスプレイ、スピーカその他の提示装置１０２と、ユーザの位置情報を取得するとともに、ユーザの位置情報と広告領域情報との位置関係を判断し、判断結果に応じた情報を広告情報配信サーバ２００へ送出させる制御装置１０３とを有している。
【００１０】
図２は、本実施形態に係る広告情報配信システム１の機能ブロック図である。本実施形態の広告情報配信システム１を構成する広告情報配信サーバ２００と、広告情報提示装置１００とについて、それぞれ説明する。
【００１１】
＜広告情報配信サーバ＞
本実施形態の広告情報配信サーバ２００は、広告情報作成手段２１と、広告情報記憶手段２２と、送受信手段２３と、広告効果評価手段２４と、課金手段２５とを有している。具体的には、少なくとも、広告情報を作成し、広告情報の配信を制御するプログラムを格納したＲＯＭと、このＲＯＭに格納されたプログラムを実行することで、広告情報作成手段２１、送受信手段２３の制御手段として機能するＣＰＵと、広告情報記憶手段２２として機能するハードディスクおよびＲＡＭとを備えている。
【００１２】
「広告情報作成手段２１」は、広告対象に関する広告情報を作成する。広告情報作成手段２１により作成された広告情報は、デジタル形式のデータであり、テキストデータ、画像データ、音声データなどを含む。この広告情報は、広告対象を宣伝する内容のほか、広告情報を識別するための広告識別情報と、広告情報ごとに予め定められた広告領域情報とを含む。ここで広告情報は、広告依頼主からの要請に基づいて作成してもよいし、広告依頼主自体が作成した広告情報を記憶しておいてもよい。
【００１３】
広告情報が含む「広告識別情報」は、広告情報を識別するための識別子であり、数値、文字の組み合わせにより表現される。
【００１４】
同じく広告情報が含む「広告領域情報」は、広告情報ごとに予め定められた領域に関する情報である。広告領域情報は、広告情報を視聴したか否かを判断できる情報を含むことが好ましく、たとえば、広告対象の広告を実施する領域を含む。また、広告領域情報は、広告情報の広告対象に行ったか否かを判断できる情報を含むことが好ましく、たとえば、広告対象の所在位置に対応させた領域を含む。これらの領域は、予め、任意に定めることができる。
【００１５】
広告対象の広告を実施する領域は、広告対象の所在位置を含んで設定されてもよいし、広告対象の所在位置を含むことなく設定されてもよい。広告対象の所在位置に基づいて定められる領域は、広告対象の所在位置そのものとしてもよいし、広告対象とは別に設けられた広告対象の駐車場を特定する領域としてもよい。なお、領域を規定する手法は特に限定されず、地図座標に基づいて幾何学的に定義してもよいし、市町村、都道府県等の行政区に基づいて定義してもよい。
【００１６】
本実施形態の広告領域情報は、広告対象の広告を実施する領域に応じた第１エリアと、広告対象の所在位置に応じた第２エリアとを含んでいる。第１エリアは、ある広告対象について広告を行う領域を定めたものである。すなわち、第１エリアにより広告情報の配信が実施される範囲が規定され、第１エリア内に位置するユーザは広告情報を取得（視聴）したと判断することができる。第２エリアは、ある広告対象の所在位置に応じて定められる領域である。すなわち、第２エリアにより広告対象に行ったか否かの判断基準（範囲）が規定され、第２エリア内に停止したユーザは広告対象に立ち寄ったと判断することができる。
【００１７】
第１エリア、第２エリアの定義手法は特に限定されず、地図座標に基づいて幾何学的に定義してもよいし、市町村、都道府県等の行政区に基づいて定義してもよい。図３（ａ）、（ｂ）、（ｃ）に第１エリア、第２エリアの態様を例示した。図３（ａ）に示した第１エリアと第２エリアは、所定の位置を中心とする円であって、中心座標（ｘ１，ｙ１）およびと半径ｒ１と、中心座標（ｘ２，ｙ２）およびと半径ｒ２とにより定義される。図３（ｂ）に示した第１エリアと第２エリアは、座標上に特定される矩形であって、対角２点の座標（ｘ３，ｙ３）（ｘ４，ｙ４）でおよび（ｘ５，ｙ５）（ｘ６，ｙ６）により定義される。図３（ｃ）に示した第１エリアと第２エリアは、所定の位置を中心とする円であって、中心座標（ｘ７，ｙ７）およびと半径ｒ７と、中心座標（ｘ８，ｙ８）およびと半径ｒ８とにより定義される。
【００１８】
第１エリアと第２エリアとは、図３（ａ）（ｂ）に示すように、重なった領域であってもよいし、図３（ｃ）に示すように、重ならない領域であってもよい。図３（ｃ）のように第１エリアと第２エリアとを異なる領域に設定することにより、所在位置に応じた第２エリアが東京である店舗（広告対象）に関し、広告情報の配信を行う第１エリアを神奈川県内に設定することも可能である。また、所在位置とは異なる場所に駐車場を有する場合などでも、第１エリアは所在位置を中心とし、第２エリアは駐車場を中心とすることができる。第１エリア、第２エリアの形状は限定されず、円、矩形のほか、店舗や施設の敷地に応じて定義してもよい。第１エリアは広告情報を配信する領域であるから、広告事業主体は、中心座標（ｘ，ｙ）の位置に応じて、または半径ｒ１の距離に応じて差別化した料金を設定することができる。
【００１９】
第１エリアと第２エリアの広狭関係は特に限定されないが、第２エリアは第１エリアよりも狭い領域であることが好ましい。こうすることにより、広告対象の広告を実施する領域を広くするとともに、広告対象にユーザが出向いたか否かを正確に判断することができる。本実施形態では、この観点から、第１エリアを第２エリアよりも広い範囲とした。すなわち、図３（ａ）の例では、ｒ１＞ｒ２となる。
【００２０】
「広告情報記憶手段２２」は、作成された広告情報を記憶する。広告情報記憶手段２２には、広告対象を宣伝する情報と、広告識別情報および広告領域情報（第１エリアおよび第２エリア）とが、対応づけて記憶されている。広告情報記憶手段２２は、サーバ側送受信手段２３のアクセスを受け付ける。つまり、サーバ側送受信手段２３は、広告情報記憶手段２２から広告情報を読み出して配信することができる。
【００２１】
記憶された広告情報の一例を図４に示した。図４に示した広告情報は、広告情報の広告有効期限（ｙｙ：ｍｍ：ｄｄ）と、第１エリアの中心座標（Ｘ１，Ｙ１）と、第１エリアの半径Ｒ１と、第２エリアの中心座標（Ｘ２，Ｙ２）と、第２エリアの半径Ｒ２と、広告対象に関する広告テキストデータと、広告画像（および／または広告音声）とが、広告識別情報となる広告ＩＤごとに定められている。
【００２２】
「送受信手段２３」は、広告情報作成手段２１により作成され、または少なくとも一時的に記憶された広告情報をユーザ側の広告情報提示装置１００へ向けて配信する。
【００２３】
「広告効果評価手段２４」は、広告識別情報ごとの受信回数に応じて広告の効果を評価する。本実施形態では、広告識別情報の受信回数の多い方が、広告効果が高いと評価する。また、広告効果評価手段２４による評価を、広告の単価の設定、広告を実施する広告領域の設定に用いることができる。
【００２４】
「課金手段２５」は、広告識別情報の受信回数に基づいて広告費用の課金を行う。課金手段２５は積算部２５１を有する。積算部２５１は、広告情報提示装置１００から広告識別情報を受信した回数をカウントする。また、積算部２５１は、広告ＩＤ（広告識別情報）ごとの広告単価を記憶した課金テーブル２５２を有している。課金手段２５は、広告単価に受信回数を乗じて広告料金を算出する。課金処理の過程を図５に示した。図５に示すように広告識別情報である広告ＩＤと広告単価とが対応づけられており、この広告単価に今月中にカウントされた広告識別情報の通知回数（サーバ側が受信した回数）を乗じて、月ごとの合計金額を算出する。この合計金額は、請求先ごとに課金処理される。広告識別情報の受信回数が多ければ、多くのユーザが広告情報を視聴した、または広告対象に立ち寄ったと判断できる。本実施形態によれば、広告識別情報を受信した回数、すなわち広告を利用した回数に応じて広告料金を課金することができる。すなわち、広告事業者は広告の効果に応じた適正な広告費用を請求することができ、広告依頼主側も広告の効果に応じた適正な料金を支払うことができる。
【００２５】
＜広告情報提示装置＞
本実施形態の広告情報提示装置１００は、ユーザが搭乗する車両に搭載されている。この車両には、ナビゲーション装置３００が搭載されており、広告情報提示装置１００は、ナビゲーション装置３００および車両情報検出装置４００と相互に情報の授受が可能であるように車載ＬＡＮにより接続されている。
【００２６】
広告情報提示装置１００の構成を図２および図６に基づいて説明する。広告情報提示装置１００の機能ブロックを図２に示し、具体的なハードウェア構成を図６に示した。
図２に示すように、広告情報提示装置１００は、広告情報取得手段１１と、位置情報取得手段１２と、判断手段１３と、（ユーザ側）送受信手段１４と、提示手段１５とを有している。
【００２７】
「広告情報取得手段１１」は、広告情報配信サーバ２００から配信された広告情報を取得する。この広告情報は、広告対象を宣伝する内容のほか、広告情報を識別するための広告識別情報と、広告情報ごとに予め定められた広告領域情報（本実施形態では第１エリアおよび第２エリア）とを含む。広告情報取得手段１１は、地上デジタル放送を受信できるデジタル放送受信テレビや、移動体通信網を介したデジタルデータの送受信を行う移動体電話を用いることができる。本実施形態の広告情報取得手段１１は、図６に示すように、地上デジタル放送を受信する放送受信用アンテナ１１１、放送受信用チューナである地上デジタル受信機１１２、地上デジタル受信機とのインタフェース回路を有する拡張インタフェース１１３と介して広告情報を取得する。
【００２８】
広告情報取得手段１１は、取得した画像データ、音声データ、テキストデータを含む広告情報を記憶する広告情報記憶部１１０を有する。本実施形態では、大容量のストレージメモリであるハードディスク６００を用いた。
【００２９】
また、広告情報取得手段１１は、広告情報記憶部１１０に記憶された広告情報を更新する広告情報更新部１１４を有している。広告情報更新部１１４は、広告情報配信サーバ２００へ送出した広告識別情報に対応する広告情報を広告情報記憶部１１０から消去する。広告識別情報を広告情報配信サーバ２００へ送出した場合、ユーザは広告識別情報に対応する広告情報をすでに視聴したと判断できる。視聴済みの広告情報を広告情報記憶部１１０に記憶させておくことは、ハードウェア資源の無駄であるため、これを削除する。これにより、広告情報記憶部１１０を有効に活用することができる。
【００３０】
「位置情報取得手段１２」は、ユーザに関する位置情報を取得する。ユーザに関する位置情報には、ユーザの現在位置、またはユーザの停止位置が含まれる。「位置情報取得手段１２」は、停止位置取得機能１２１と現在位置取得機能１２２とを有している。「現在位置取得機能１２２」は、ユーザが搭乗する車両に搭載されたナビゲーション装置３００の自車位置検出部３０１が検出した自車位置情報をユーザの現在位置として取得する。具体的には、ナビゲーション装置３００はＧＰＳ機能（Ｇｌｏｂａｌ  Ｐｏｓｉｔｉｏｎｉｎｇ  Ｓｙｓｔｅｍ）を有し、図６に示すように衛星ＧＰＳアンテナ３１１、ＧＰＳ受信機３１２とを備えている。この場合ジャイロ３１３から取得した情報を参照して正確な自車位置を決定してもよい。
【００３１】
また、「停止位置取得機能１２１」は、車両情報検出装置４００が検出した車速情報に基づいて判断された車両の停止位置を取得する。本実施形態の「停止位置取得機能１２１」は、所定時間以上にわたり車速がゼロである場合、車両が停止したと判断し、そのタイミングにおける車両の現在位置を車両の停止位置とする。車両情報検出装置４００は、図６に示すように、車速センサ４０１を有しており、車速情報は車速センサ４０１を介して取得される。車両が停止したときの車両の現在位置は、ナビゲーション装置３００を介して取得する。なお、「停止位置取得機能１２１」は、ナビゲーション装置３００の走行履歴検出部３０２が検出した自車位置情報の経時的な履歴を取得し、車両が同じ位置に所定時間以上所在する場合、車両は停止したと判断し、その位置を停止位置として取得してもよい。
【００３２】
「判断手段１３」は、座標値で表された位置および領域を比較する位置比較機能を有し、位置情報取得手段１２により取得された「ユーザに関する位置情報」と「広告領域情報」との位置関係を判断する。ユーザに関する位置情報と広告領域情報との位置関係とは、例えばユーザに関する位置が広告領域情報内に含まれるか否か、またはその距離関係などである。図６に示すように、「判断手段１３」は、少なくとも、ユーザに関する位置情報と広告情報の広告領域情報との位置関係を判断するプログラムを格納したＲＯＭ１３２と、このＲＯＭ１３２に格納されたプログラムを実行することで、判断手段１３として機能するＣＰＵ１３１と、広告情報、位置情報、その他の広告情報の提示処理に必要な情報を記憶するＲＡＭ１３３とを備えている。
【００３３】
前述したように、本実施形態のユーザに関する位置には、ユーザが搭乗する車両の現在位置、ユーザが搭乗する車両の停止位置が含まれる。また本実施形態の広告領域情報には第１エリアと第２エリアとが含まれる。本実施形態の判断手段１３は、「ユーザが搭乗する車両の停止位置」と広告対象の所在位置に応じた「第２エリア」との位置関係、すなわち「ユーザが搭乗する車両の停止位置」が「第２エリア」に含まれるか否かを判断する。この判断結果は、送受信手段１４へ送出される。また、判断手段１３は、「ユーザが搭乗する車両の現在位置」と広告対象の広告を実施する領域に応じた「第１エリア」との位置関係、すなわち、「ユーザが搭乗する車両の現在位置」が「第１エリア」に含まれるか否か判断する。この判断結果は提示手段１５へ送出される。
【００３４】
「送受信手段１４」は、判断手段１３の判断結果に応じて、広告情報の広告識別情報を広告情報配信サーバ２００へ向けて送出する。本実施形態の送受信手段１４は、「ユーザが搭乗する車両の停止位置」が「第２エリア」に含まれる場合、広告識別情報を広告情報配信サーバ２００へ送出する。なお、送受信手段１４は、「ユーザが搭乗する車両の停止位置」と「第２エリア」とが所定の距離以内となった場合、広告識別情報を広告情報配信サーバ２００へ送出してもよい。
【００３５】
「送受信手段１４」は、広告識別情報を、通信回線を通じて広告情報配信サーバ２００へ送出する。図６に示すように、送受信手段１４は、車載通信モジュール用のアンテナ１４１と、車載の通信用モジュール１４２と、通信用モジュールとのインタフェース回路１４３とを有している。広告情報配信サーバ２００の「広告効果評価手段２４」は、広告識別情報の受信回数に基づいて広告の宣伝効果を定量的に把握することができる。また、「課金手段２５」は、広告識別情報の受信回数に基づいて、広告料金の課金を行うことができる。
【００３６】
「ユーザ側送受信手段１４」は「ＡＣＣ信号取得部１４１」と「送信タイミング制御部１４２」とを有している。送信タイミング制御部１４２は、送受信手段１４の広告識別情報の送信タイミングを制御する。
【００３７】
「ＡＣＣ信号取得部１４１」は、ユーザが搭乗する車両のアクセサリスイッチの入力信号を取得する。ＡＣＣの入力信号は、イグニッションキー入力装置５００を介して取得する。「送信タイミング制御部１４２」は、予め定めたタイミングにおいてＡＣＣ信号取得部１４１がアクセサリスイッチの入力信号を取得した場合、広告識別情報を広告情報配信サーバ２００に向けて送出させる。「予め定めたタイミング」は、任意に定めることができる。ＡＣＣがオフとされた後に最初にＡＣＣオンとされたタイミングとしてもよいし、日付が変更された後、最初にＡＣＣオンとされたタイミングとしてもよい。予め定めたタイミングにおいてまとめて広告識別情報を送出することにより、回線接続、ネゴシエーションの処理が１度にできるため、通信費用を節約することができる。
【００３８】
「提示手段１５」は、取得した広告情報の広告内容をユーザに提示する。「提示手段１５」は、判断手段１３の判断結果に応じて広告情報をユーザに提示する。具体的には、判断手段１３により判断された、「ユーザが搭乗する車両の現在位置」と広告対象の広告を実施する領域に応じた「第１エリア」との位置関係、すなわち、「ユーザが搭乗する車両の現在位置」が「第１エリア」に含まれるか否かの判断結果に応じて広告情報をユーザに提示する。
【００３９】
本実施形態の「提示手段１５」は、ユーザの現在位置が第１エリアに含まれる場合、提示手段１５のディスプレイ１５１を介して、広告情報の広告画像をユーザに提示する。この場合において、音声情報が含まれている広告音声は、提示手段１５のスピーカ１５２を介して、ユーザに提示する。
【００４０】
以上のように構成される本実施形態の広告情報配信システム１００の動作を説明する。図７に本実施形態のフローチャートを示す。
【００４１】
広告情報配信サーバ２００の広告情報作成手段２１は、広告情報を作成する（２０１）。この広告情報には広告対象を広告する画像、音声、テキストを含む情報と、広告情報識別情報と、広告領域情報とを含む。また、広告領域情報には、広告対象の広告を実施する領域に応じた第１エリアと広告対象の所在位置に応じた第２エリアとが含まれている。サーバ側送受信手段２３は作成された広告情報を広告情報提示装置１００へ向けて送出する（２０２）。
【００４２】
広告情報提示装置１００の起動後（１０１）、ユーザ側送受信手段１４は、配信された広告情報の受信を試みる。広告情報を取得した場合には広告情報記憶部１１０へ記憶する（１０３）。
【００４３】
位置情報取得手段１２の現在位置取得機能１２２は、ユーザが搭乗する車両の現在位置をナビゲーション装置３００の現在位置検出部３０１を介して取得する（１０４）。
【００４４】
判断手段１３は、ユーザに関する位置情報と広告領域情報との位置関係を比較する位置比較機能を起動させ、ユーザの現在位置と広告領域情報の第１エリアとを比較させる（１０５）。ユーザの現在位置が広告領域情報の第１エリアに含まれる場合、提示手段１５を介して広告情報をユーザへ提示する（１０６）。広告情報に含まれる広告画像はディスプレイ１５１を介して提示し、広告音声はスピーカ１５２を介して提示する。提示された広告情報を識別する広告識別情報は、少なくとも一時的に保存される（１０７）。
【００４５】
ユーザへ提示された広告がある場合、位置情報取得手段１２の停止位置取得機能１２１は、ユーザの搭乗する車両の停止位置を取得する。本実施形態の停止位置情報取得機能１２１は、車両の車速情報を車両情報取得装置４００から取得する（１０９）。停止位置情報取得機能１２１は、所定時間（３分、１分、３０秒等）にわたり車速がゼロである場合、車両は停止したと判断し、停止したと判断されたタイミングにおける現在位置を停止位置とする。この現在位置は自車位置検出部３０１から取得する。
判断手段１３は、位置比較機能を起動させ、ユーザに関する位置情報と広告領域情報との位置関係、すなわちユーザの停止位置と第２エリアとを比較させる。ユーザの車両が第２エリアに停止した場合（１１０）、提示された広告情報の広告識別情報を少なくとも一時的に記憶する（１１１）。なお、提示された広告がない場合には、ステップ１０２へ戻る。
【００４６】
送信タイミング制御部１４２は、提示された広告情報の広告識別情報を送出させるタイミングを制御する。送信タイミング制御部１４２は、予め定めたタイミングにおいてＡＣＣ信号取得部１４１がアクセサリスイッチの入力信号を取得した場合（１１２）、広告識別情報を広告配信サーバ２００へ向けて送出する（１１３）。
【００４７】
広告情報更新部１１４は、送出された広告識別情報に対応する広告情報を広告情報記憶部１１０から削除し、広告情報のデータを更新する（１１４）。
【００４８】
広告情報配信サーバ２００の広告効果評価手段２４は、広告情報提示装置１００から送信された広告識別情報の受信回数を広告情報ごとに記憶する。広告効果評価手段２４は、広告情報識別情報の受信回数によって、その広告情報の広告効果を評価する（２０３）。課金手段２５は、広告情報識別情報の受信回数に応じて課金処理を行う（２０４）。
【００４９】
図８は、送信タイミング制御部１４２の制御手順を示すフローチャート図である。送信タイミング制御部１４２は、図７に示すフローチャートのステップ１１２において広告識別情報を送出するタイミングを判断する。
【００５０】
図８に示すように、送信タイミング制御部１４２は、広告情報提示装置１００と車載ＬＡＮで接続されたタイマから時間情報を取得する（３０１）。イグニッションキー入力手段５００から入力信号を取得する。送信タイミング制御部１４２は、入力信号が、予め定めたタイミングにおいて取得されたか否かを判断する。具体的には、送信タイミング制御部１４２は、アクセサリスイッチの入力信号がオフ入力の後のオン入力であり、今日はじめてのエンジン始動であるか否かを判断する（３０２）。今日始めてのエンジン始動であると判断された場合、昨日までにＲＡＭ１３３に蓄積された広告識別情報があるか否かを判断する（３０３）蓄積された広告識別情報がある場合、蓄積された広告識別情報を広告情報配信サーバ２００へ向けてまとめて送信する（３０４）。この送信後、広告情報更新部１１４は、送信された広告識別情報に応じた広告情報を広告情報記憶部１１０から削除する（３０５）。削除後、初めてのエンジン始動ではない場合（３０２）、蓄積された広告識別情報がない場合（３０３）、終了へ向かう（３０６）。
【００５１】
本実施形態の広告情報配信システム１は、以上にように構成され、機能するので、以下のような効果を奏する。
【００５２】
本実施形態によれば、広告事業者側は広告の宣伝効果を定量的に把握することができる。すなわち、広告情報の広告領域情報とユーザに関する位置情報との位置関係から、ユーザが広告情報を取得（視聴）したか否か、またはユーザが広告対象に出向いたか否かを推測することができるため、広告情報の広告領域情報とユーザに関する位置情報との位置関係に応じて送信された広告識別情報の受信結果によって、広告事業者側および広告依頼者は広告の宣伝効果を定量的に把握することができる。
【００５３】
また、ユーザの停止位置が広告領域情報に含まれる場合に、広告識別情報を広告配信サーバ２００へ送出することにより、広告事業者側はユーザが広告対象に行ったか否か、広告を視聴したか否かという宣伝効果を定量的に把握することができる。
【００５４】
広告領域情報に、広告対象の広告を実施する領域に応じた第１エリアと、広告対象の所在位置に応じた第２エリアとを含ませることにより、広範囲に所在するユーザに対して広告情報を配信するとともに、ユーザが広告対象に行ったか否かを判断することができる。
【００５５】
ユーザの停止位置が広告対象の所在位置に応じた第２エリアに含まれる場合に広告識別情報を送出することにより、ユーザが広告対象に行ったと推測される場合に広告識別情報が送出され、広告事業者側はユーザが広告対象に行ったか否かという宣伝効果を定量的に把握することができる。
【００５６】
広告識別情報の受信回数に応じて広告配信に係る課金処理を行うことにより、広告事業者は広告効果に応じた適切な料金を広告依頼主に請求することができる。
【００５７】
ユーザの現在位置が第１エリアに含まれる場合、ユーザに広告情報（広告画像および／または広告音声）を提示することにより、予め設定した広告領域において広告情報の配信を計画的に行うことができる。
【００５８】
広告領域の第２エリアを第１エリアよりも狭い領域とすることにより、ユーザが広告対象に行ったか否かを高い精度で判断することができ、広範囲に所在するユーザに対して広告情報を配信するとともに、ユーザが広告対象に行ったか否かを正確に判断することができる。
【００５９】
予め定めたタイミングにおいてアクセサリスイッチが入力された場合に、広告識別情報を送出することにより、広告識別情報を纏めて送信することができ、通信費用を節約することができる。
【００６０】
広告情報取得手段１１が取得した広告情報から、広告情報配信サーバ２００に向けて送出した広告識別情報に対応する広告情報を削除することにより、不必要な情報を削除することができ、メモリ容量を有効に利用することができる。
【００６１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】広告情報配信システム１の構成概要図である。
【図２】広告情報配信システム１のブロック図である。
【図３】広告領域情報を説明するための図である。
【図４】広告情報の一例を示す図である。
【図５】課金処理を説明するための図である。
【図６】広告情報提示装置１００のハードウェア構成の一例を示す図である。
【図７】広告情報配信システム１の制御手順を示すフローチャート図である。
【図８】図２に示す送信タイミング制御部の制御手順を示すフローチャート図である。
【符号の説明】
１…広告情報配信システム
１００…（ユーザ側）広告情報提示装置
１１…広告情報取得手段
１２…位置情報取得手段
１３…判断手段
１４…（ユーザ側）送受信手段
１５…提示手段
２００…（広告事業者側）広告情報配信サーバ
２１…広告情報作成手段
２２…広告情報記憶手段
２３…（サーバ側）送受信手段
２４…広告効果評価手段
２５…課金手段
【図１】
2005025461.tif 000003
【図２】
2005025461.tif 000004
【図３】
2005025461.tif 000005
【図４】
2005025461.tif 000006
【図５】
2005025461.tif 000007
【図６】
2005025461.tif 000008
【図７】
2005025461.tif 000009
【図８】
2005025461.tif 000010